(57)【特許請求の範囲】
【請求項１】
移動局であって、
第１セルにおいて接続状態にある場合で、第２セルにおけるランダムアクセス手順の開始トリガを検出した場合で、かつ、該第１セルにおいて上り信号が送信されていると判断した場合に、該ランダムアクセスプリアンブルの送信を延期するように構成されている送信部を具備しており、
前記送信部は、前記第１セルにおける上り信号の送信が完了した際に、延期されている前記ランダムアクセスプリアンブルの送信を行うように構成され、
前記送信部は、前記ランダムアクセスプリアンブルの送信を延期してから所定期間が経過した場合、該ランダムアクセスプリアンブルの送信を中止するように構成されていることを特徴とする移動局。
【請求項２】
前記送信部は、所定回数、前記第２セルにおけるランダムアクセスプリアンブルの送信を延期した場合には、次に、該第２セルにおけるランダムアクセス手順の開始トリガを検出した際に、前記第１セルにおいて上り信号が送信されていると判断した場合であっても、該第２セルにおけるランダムアクセスプリアンブルの送信を延期することなく行うように構成されていることを特徴とする請求項１に記載の移動局。
【請求項３】
前記送信部は、前記第１セルにおいて接続状態にある場合で、前記第２セルにおけるランダムアクセス手順の開始トリガを検出した場合で、該第１セルにおいて上り信号が送信されていると判断した場合で、かつ、前記ランダムアクセスプリアンブル及び該上り信号の送信に十分な送信電力を確保することができない場合に、該ランダムアクセスプリアンブルの送信を延期するように構成されていることを特徴とする請求項１に記載の移動局。
【発明の詳細な説明】
【技術分野】
【０００１】
本発明は、移動局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式では、ＣＡ（Ｃａｒｒｉｅｒ  Ａｇｇｒｉｇａｔｉｏｎ）を行うことができる。
【０００３】
かかるＣＡには、「Ｉｎｔｅｒ-ｂａｎｄ  ＣＡ（異周波数帯域間ＣＡ）」及び「Ｉｎｔｒａ-ｂａｎｄ  ＣＡ（同一周波数帯域内ＣＡ）」が含まれる。
【０００４】
ＣＡが行われる場合には、移動局ＵＥは、信頼性のある「Ｐｃｅｌｌ（Ｐｒｉｍａｒｙ  ｃｅｌｌ）」及び付随的な「Ｓｃｅｌｌ（Ｓｅｃｏｎｄａｒｙ  ｃｅｌｌ）」を設定することができるように構成されている。
【０００５】
具体的には、移動局ＵＥは、「Ｐｃｅｌｌ」を設定した後、必要に応じて、「Ｓｃｅｌｌ」を追加して設定することができるように構成されている。
【０００６】
例えば、ＣＡが行われる場合には、移動局ＵＥは、セル＃１において、ＰＵＳＣＨ（Ｐｈｙｓｉｃａｌ  Ｕｐｌｉｎｋ  Ｓｈａｒｅｄ  Ｃｈａｎｎｅｌ）を介して上りデータ信号を送信するのと同時に、セル＃２においても、ＰＵＳＣＨを介して上りデータ信号を送信してもよいし、セル＃１において、ＰＵＣＣＨ（Ｐｈｙｓｉｃａｌ  Ｕｐｌｉｎｋ  Ｃｏｎｔｒｏｌ  Ｃｈａｎｎｅｌ）を介して上り制御信号を送信するのと同時に、セル＃２において、ＰＵＳＣＨを介して上りデータ信号を送信してもよいし、セル＃１において、ＰＵＳＣＨを介して上りデータ信号を送信するのと同時に、セル＃２において、ＲＡＣＨ（Ｒａｎｄｏｍ  Ａｃｃｅｓｓ  Ｃｈａｎｎｅｌ）を介してランダムアクセスプリアンブルを送信してもよい。
【０００７】
また、「Ｉｎｔｅｒ-ｂａｎｄ  ＣＡ」が行われる場合には、移動局ＵＥは、異なる周波数帯域のキャリアで運用されている複数のセル（「Ｐｃｅｌｌ」及び「Ｓｃｅｌｌ」）において上り信号を同時に送信することができるように構成されている。
【先行技術文献】
【非特許文献】
【０００８】
【非特許文献１】３ＧＰＰ  ＴＳ３６.３２１
【発明の概要】
【発明が解決しようとする課題】
【０００９】
ここで、「Ｉｎｔｅｒ-ｂａｎｄ  ＣＡ」が行われる場合には、周波数帯域ごとに、無線特性（遅延特性や減衰特性等）が異なるため、各周波数帯域のキャリアごとに同期を取る必要がある（すなわち、ＲＡ手順を行う必要がある）。
【００１０】
例えば、セル＃１（「Ｐｃｅｌｌ」）において「ＲＲＣ_Ｃｏｎｎｅｃｔｅｄ状態」の移動局ＵＥに対して、「Ｉｎｔｅｒ-ｂａｎｄ  ＣＡ」を開始させる場合には、例えば、セル＃１（「Ｐｃｅｌｌ」）及びセル＃２（「Ｓｃｅｌｌ」）における上り信号の送信を開始させる場合には、移動局ＵＥは、セル＃２において、ＲＡＣＨを介してランダムアクセスプリアンブルを送信する必要がある。
【００１１】
かかる場合、移動局ＵＥの最大送信電力には制限があるため、セル＃１及びセル＃２に対する送信電力の分配方法によっては、セル＃１における上りデータ信号及びセル＃２におけるランダムアクセスプリアンブルの両方が、無線基地局ｅＮＢに届かない可能性がある。
【００１２】
かかる可能性を解消するために、移動局ＵＥが、セル＃１において、ＰＵＳＣＨを介して上りデータ信号を送信するのと同時に、セル＃２において、ＲＡＣＨを介してランダムアクセスプリアンブルを送信する場合には、図９に示すように、セル＃２におけるランダムアクセスプリアンブルの送信を中止することが考えられる。
【００１３】
しかしながら、その結果、セル＃２におけるランダムアクセスプリアンブルが、無線基地局ｅＮＢに届かないため、いつまで経っても、移動局ＵＥに対して、「Ｉｎｔｅｒ-ｂａｎｄ  ＣＡ」を開始させることができないという問題点があった。
【００１４】
そこで、本発明は、上述の課題に鑑みてなされたものであり、「Ｉｎｔｅｒ-ｂａｎｄ  ＣＡ」を開始することができる可能性を高めることができる移動局を提供することを目的とする。
【課題を解決するための手段】
【００１５】
本発明の第１の特徴は、移動局であって、第１セルにおいて接続状態にある場合で、第２セルにおけるランダムアクセス手順の開始トリガを検出した場合で、かつ、該第１セルにおいて上り信号が送信されていると判断した場合に、該ランダムアクセスプリアンブルの送信を延期するように構成されている送信部を具備しており、前記送信部は、前記第１セルにおける上り信号の送信が完了した際に、延期されている前記ランダムアクセスプリアンブルの送信を行うように構成されていることを要旨とする。
【発明の効果】
【００１６】
以上説明したように、本発明によれば、「Ｉｎｔｅｒ-ｂａｎｄ  ＣＡ」を開始することができる可能性を高めることができる移動局を提供することができる。
【図面の簡単な説明】
【００１７】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を説明するための図である。
【図４】本発明の第１の実施形態に係る移動局の動作を示すフローチャートである。
【図５】本発明の変更例１に係る移動局の動作を説明するための図である。
【図６】本発明の変更例１に係る移動局の動作を示すフローチャートである。
【図７】本発明の変更例２に係る移動局の動作を説明するための図である。
【図８】本発明の変更例２に係る移動局の動作を示すフローチャートである。
【図９】従来の移動通信システムの問題点を説明するための図である。
【発明を実施するための形態】
【００１８】
（本発明の第１の実施形態に係る移動通信システム）
図１乃至図４を参照して、本発明の第１の実施形態に係る移動通信システムについて説明する。
【００１９】
図１に示すように、本実施形態に係る移動通信システムは、ＬＴＥ-Ａｄｖａｎｃｅ方式をサポートするように構成されており、異なる周波数帯のキャリアで運用されているセル＃１及びセル＃２を管理する無線基地局ｅＮＢを具備している。
【００２０】
なお、本実施形態に係る移動通信システムでは、「Ｉｎｔｅｒ-ｂａｎｄ  ＣＡ」をサポートするように構成されている、すなわち、移動局ＵＥは、セル＃１及びセル＃２において同時に上り信号を送信することができるように構成されている。
【００２１】
以下、本実施形態では、移動局ＵＥが、無線基地局ｅＮＢ配下のセル＃１（「Ｐｃｅｌｌ」）において「ＲＲＣ_Ｃｏｎｎｅｃｔｅｄ状態」にある場合に、無線基地局ｅＮＢが、移動局ＵＥに対して「Ｓｃｅｌｌ」としてセル＃２を追加して設定するように指示するケースを例示して説明する。
【００２２】
図２に示すように、本実施形態に係る移動局ＵＥは、受信部１１と、記憶部１２と、検出部１３と、送信部１４とを具備している。
【００２３】
受信部１１は、無線基地局ｅＮＢによって送信された各種信号を受信するように構成されている。
【００２４】
例えば、受信部１１は、無線基地局ｅＮＢによって送信された「ＰＤＣＣＨ  ｏｒｄｅｒ」を受信するように構成されている。ここで、「ＰＤＣＣＨ  ｏｒｄｅｒ」は、所定セルにおいてＲＡ（ランダムアクセス）手順を開始するように指示する信号である。
【００２５】
なお、ＲＡ手順には、「Ｎｏｎ-Ｃｏｎｔｅｎｔｉｏｎ  ｂａｓｅｄ  ＲＡ（Ｃｏｎｔｅｎｔｉｏｎ  Ｆｒｅｅ  ＲＡ）手順」及び「Ｃｏｎｔｅｎｔｉｏｎ  ｂａｓｅｄ  ＲＡ手順」が含まれる。
【００２６】
「Ｎｏｎ-Ｃｏｎｔｅｎｔｉｏｎ  ｂａｓｅｄ  ＲＡ手順」は、例えば、「ＤＬ  ｄａｔａ  ｒｅｓｕｍｉｎｇ（下りデータ再開）」や「ハンドオーバ」の際に、無線基地局ｅＮＢからの指示によって起動されるものである。
【００２７】
また、「Ｃｏｎｔｅｎｔｉｏｎ  ｂａｓｅｄ  ＲＡ手順」は、例えば、「Ｉｎｉｔｉａｌ  Ａｃｃｅｓｓ（初期アクセス）」や「ＵＬ  ｄａｔａ  ｒｅｓｕｍｉｎｇ（上りデータ再開）」の際に、移動局ＵＥによって自律的に起動されるものである。
【００２８】
記憶部１２は、「ＰＤＣＣＨ  ｏｒｄｅｒ」によって指定された「Ｎｏｎ-Ｃｏｎｔｅｎｔｉｏｎ  ｂａｓｅｄ  ＲＡ手順」で用いるべき「ｄｅｄｉｃａｔｅｄ  Ｐｒｅａｍｂｌｅ（個別プリアンブル）」を記憶するように構成されている。
【００２９】
検出部１３は、ＲＡ手順の開始トリガを検出するように構成されている。例えば、検出部１３は、「Ｉｎｉｔｉａｌ  Ａｃｃｅｓｓ」や「ＵＬ  ｄａｔａ  ｒｅｓｕｍｉｎｇ」を行うと判断した場合に、ＲＡ手順の開始トリガを検出するように構成されている。
【００３０】
また、検出部１３は、所定セルにおいて無線基地局ｅＮＢから「ＰＤＣＣＨ  ｏｒｄｅｒ」を受信した場合に、ＲＡ手順の開始トリガを検出したと判断するように構成されている。
【００３１】
送信部１４は、無線基地局ｅＮＢに対して各種信号を送信するように構成されている。
【００３２】
例えば、送信部１４は、無線基地局ｅＮＢに対して、セル＃１における上り信号を送信したり、セル＃２におけるランダムアクセスプリアンブルを送信したりするように構成されている。
【００３３】
また、検出部１３が、セル＃２におけるＲＡ手順の開始トリガを検出した場合に、送信部１４は、セル＃１において上り信号が送信されているか否かについて判断するように構成されている。
【００３４】
なお、検出部１３が、セル＃２におけるＲＡ手順の開始トリガを検出した場合に、送信部１４は、セル＃１において上り信号が送信されているか否かについて判断するのに加えて、セル＃２におけるランダムアクセスプリアンブル（すなわち、記憶部１２に記憶されている「ｄｅｄｉｃａｔｅｄ  Ｐｒｅａｍｂｌｅ」）の送信及びセル＃１における上り信号の送信に十分な送信電力を確保することができるか否かについて判断するように構成されていてもよい。
【００３５】
ここで、送信部１４は、セル＃１において上り信号が送信されていると判断した場合に、セル＃２におけるランダムアクセスプリアンブル（すなわち、記憶部１２に記憶されている「ｄｅｄｉｃａｔｅｄ  Ｐｒｅａｍｂｌｅ」）の送信を延期するように構成されている。
【００３６】
例えば、図３に示すように、時刻ｔ１において、受信部１１が、無線基地局ｅＮＢによって送信された「ＰＤＣＣＨ  ｏｒｄｅｒ」を受信すると、すなわち、検出部１３が、セル＃２におけるＲＡ手順の開始トリガを検出すると、送信部１４は、セル＃１において上り信号が送信されているため、セル＃２におけるランダムアクセスプリアンブル（すなわち、記憶部１２によって記憶されている「ｄｅｄｉｃａｔｅｄ  Ｐｒｅａｍｂｌｅ」）の送信を延期するように構成されている。
【００３７】
その後、時刻ｔ２において、送信部１４は、セル＃１における上り信号の送信が完了したことを検出し、延期されているランダムアクセスプリアンブル（すなわち、記憶部１２に記憶されている「ｄｅｄｉｃａｔｅｄ  Ｐｒｅａｍｂｌｅ」）の送信を行うように構成されている。
【００３８】
以下、図４を参照して、本発明の第１の実施形態に係る移動通信システムの動作の一例について説明する。
【００３９】
図４に示すように、移動局ＵＥは、ステップＳ１０１において、ＲＡ手順の開始トリガを検出すると、ステップＳ１０２において、セル＃１において上り信号が送信されているか否かについて判定する。
【００４０】
「ＹＥＳ」の場合、本動作は、ステップＳ１０３に進み、「ＮＯ」の場合、本動作は、ステップＳ１０４に進む。
【００４１】
ステップＳ１０３において、移動局ＵＥは、セル＃２におけるランダムアクセスプリアンブル（すなわち、記憶部１２に記憶されている「ｄｅｄｉｃａｔｅｄ  Ｐｒｅａｍｂｌｅ」）の送信を延期する。
【００４２】
ステップＳ１０４において、移動局ＵＥは、セル＃２におけるランダムアクセスプリアンブル（すなわち、記憶部１２に記憶されている「ｄｅｄｉｃａｔｅｄ  Ｐｒｅａｍｂｌｅ」）の送信を行う。
【００４３】
本実施形態に係る発明によれば、移動局ＵＥが、セル＃２におけるＲＡ手順の開始トリガが検出された場合で、かつ、セル＃１において上り信号が送信されている場合に、セル＃２におけるランダムアクセスプリアンブル（すなわち、記憶部１２に記憶されている「ｄｅｄｉｃａｔｅｄ  Ｐｒｅａｍｂｌｅ」）の送信を延期し、セル＃１における上り信号の送信が完了後に、かかるランダムアクセスプリアンブル（すなわち、記憶部１２に記憶されている「ｄｅｄｉｃａｔｅｄ  Ｐｒｅａｍｂｌｅ」）の送信を行うことができるので、「Ｉｎｔｅｒ-ｂａｎｄ  ＣＡ」を開始することができる可能性を高めることができる。
【００４４】
（変更例１）
図５及び図６を参照して、本発明の変更例１に係る移動通信システムについて説明する。以下、本変更例１に係る移動通信システムについて、上述の実施形態１に係る移動通信システムとの相違点に着目して説明する。
【００４５】
本変更例１に係る移動通信システムでは、送信部１４は、所定期間、セル＃２におけるランダムアクセスプリアンブル（すなわち、記憶部１２に記憶されている「ｄｅｄｉｃａｔｅｄ  Ｐｒｅａｍｂｌｅ」）の送信を延期した場合、かかるランダムアクセスプリアンブル（すなわち、記憶部１２に記憶されている「ｄｅｄｉｃａｔｅｄ  Ｐｒｅａｍｂｌｅ」）の送信を中止するように構成されている。
【００４６】
すなわち、送信部１４は、セル＃２におけるランダムアクセスプリアンブル（すなわち、記憶部１２に記憶されている「ｄｅｄｉｃａｔｅｄ  Ｐｒｅａｍｂｌｅ」）の送信の延期を開始した場合、所定タイマを起動し、かかる所定タイマが満了するまでに、セル＃１における上り信号の送信が完了しない場合には、延期しているセル＃２におけるランダムアクセスプリアンブル（すなわち、記憶部１２に記憶されている「ｄｅｄｉｃａｔｅｄ  Ｐｒｅａｍｂｌｅ」）の送信を中止するように構成されている。
【００４７】
かかる場合、記憶部１２は、記憶している「ｄｅｄｉｃａｔｅｄ  Ｐｒｅａｍｂｌｅ」を解放するように構成されている。
【００４８】
例えば、図５に示すように、時刻ｔ１において、受信部１１が、無線基地局ｅＮＢによって送信された「ＰＤＣＣＨ  ｏｒｄｅｒ」を受信すると、すなわち、検出部１３が、セル＃２におけるＲＡ手順の開始トリガを検出すると、送信部１４は、セル＃１において上り信号が送信されているため、セル＃２におけるランダムアクセスプリアンブル（すなわち、記憶部１２に記憶されている「ｄｅｄｉｃａｔｅｄ  Ｐｒｅａｍｂｌｅ」）の送信を延期し、所定タイマを起動するように構成されている。
【００４９】
時刻ｔ２において、受信部１１が、所定タイマが満了する前に、無線基地局ｅＮＢによって送信された「ＰＤＣＣＨ  ｏｒｄｅｒ」を再度受信すると、すなわち、検出部１３が、所定タイマが満了する前に、セル＃２におけるＲＡ手順の開始トリガを再度検出すると、送信部１４は、延期しているセル＃２におけるランダムアクセスプリアンブル（すなわち、記憶部１２に記憶されている「ｄｅｄｉｃａｔｅｄ  Ｐｒｅａｍｂｌｅ」）の送信を中止し、所定タイマを再起動し、かかる「ＰＤＣＣＨ  ｏｒｄｅｒ」によって指定されているセル＃２におけるランダムアクセスプリアンブル（すなわち、記憶部１２に記憶されている「ｄｅｄｉｃａｔｅｄ  Ｐｒｅａｍｂｌｅ」）の送信を延期する。
【００５０】
時刻ｔ３において、送信部１４は、所定タイマが満了するまでに、セル＃１における上り信号の送信が完了しないため、延期しているセル＃２におけるランダムアクセスプリアンブル（すなわち、記憶部１２に記憶されている「ｄｅｄｉｃａｔｅｄ  Ｐｒｅａｍｂｌｅ」）の送信を中止するように構成されている。
【００５１】
以下、図６を参照して、本変更例１に係る移動通信システムの動作の一例について説明する。
【００５２】
図６に示すように、移動局ＵＥは、ステップＳ２０１において、ＲＡ手順の開始トリガを検出すると、ステップＳ２０２において、セル＃１において上り信号が送信されているか否かについて判定する。
【００５３】
「ＹＥＳ」の場合、本動作は、ステップＳ２０３に進み、「ＮＯ」の場合、本動作は、ステップＳ２０７に進む。
【００５４】
ステップＳ２０３において、移動局ＵＥは、所定タイマが起動しているか否かについて判定する。
【００５５】
「ＹＥＳ」の場合、本動作は、ステップＳ２０４に進み、「ＮＯ」の場合、本動作は、ステップＳ２０５に進む。
【００５６】
ステップＳ２０４において、移動局ＵＥは、所定タイマを再起動し、延期しているセル＃２におけるランダムアクセスプリアンブル（すなわち、記憶部１２に記憶されている「ｄｅｄｉｃａｔｅｄ  Ｐｒｅａｍｂｌｅ」）の送信を中止する。
【００５７】
一方、ステップＳ２０５において、移動局ＵＥは、所定タイマを起動する。
【００５８】
ステップＳ２０６において、移動局ＵＥは、所定タイマが満了したか否かについて判定する。
【００５９】
「ＹＥＳ」の場合、本動作は、終了する。ここで、移動局ＵＥは、延期しているセル＃２におけるランダムアクセスプリアンブル（すなわち、記憶部１２に記憶されている「ｄｅｄｉｃａｔｅｄ  Ｐｒｅａｍｂｌｅ」）の送信を中止する。
【００６０】
一方、「ＮＯ」の場合、本動作は、ステップＳ２０２に戻る。
【００６１】
ステップＳ２０７において、移動局ＵＥは、延期しているセル＃２におけるランダムアクセスプリアンブル（すなわち、記憶部１２に記憶されている「ｄｅｄｉｃａｔｅｄ  Ｐｒｅａｍｂｌｅ」）の送信を行う。
【００６２】
本変更例１によれば、移動局ＵＥは、所定タイマが満了するまでに、セル＃１における上り信号の送信が完了しない場合には、延期しているセル＃２におけるランダムアクセスプリアンブル（すなわち、記憶部１２に記憶されている「ｄｅｄｉｃａｔｅｄ  Ｐｒｅａｍｂｌｅ」）の送信を中止することで、「Ｉｎｔｅｒ-ｂａｎｄ  ＣＡ」を開始することができる可能性を高めつつ、ランダムアクセスプリアンブルを適切に再利用することができる。
【００６３】
（変更例２）
図７及び図８を参照して、本発明の変更例２に係る移動通信システムについて説明する。以下、本変更例２に係る移動通信システムについて、上述の実施形態１に係る移動通信システムとの相違点に着目して説明する。
【００６４】
本変更例２に係る移動通信システムでは、送信部１４は、所定回数、セル＃２におけるランダムアクセスプリアンブルの送信を延期（或いは、中止）した場合には、次に、セル＃２におけるランダムアクセス手順の開始トリガを検出した際に、セル＃１において上り信号が送信されていると判断した場合であっても、セル＃２におけるランダムアクセスプリアンブルの送信を延期することなく行うように構成されている。
【００６５】
例えば、図７に示すように、時刻ｔ１において、受信部１１が、無線基地局ｅＮＢによって送信された「ＰＤＣＣＨ  ｏｒｄｅｒ」を受信すると、すなわち、検出部１３が、セル＃２におけるＲＡ手順の開始トリガを検出すると、送信部１４は、セル＃１において上り信号が送信されているため、セル＃２におけるランダムアクセスプリアンブル（すなわち、記憶部１２に記憶されている「ｄｅｄｉｃａｔｅｄ  Ｐｒｅａｍｂｌｅ」）の送信を延期し、所定タイマを起動するように構成されている。
【００６６】
時刻ｔ２において、送信部１４は、セル＃１において上り信号の送信が完了する前に、所定タイマが満了したため、延期しているセル＃２におけるランダムアクセスプリアンブル（すなわち、記憶部１２に記憶されている「ｄｅｄｉｃａｔｅｄ  Ｐｒｅａｍｂｌｅ」）の送信を中止する。
【００６７】
時刻ｔ３において、受信部１１が、無線基地局ｅＮＢによって送信された「ＰＤＣＣＨ  ｏｒｄｅｒ」を受信すると、すなわち、検出部１３が、セル＃２におけるＲＡ手順の開始トリガを検出すると、送信部１４は、セル＃１において上り信号が送信されているため、セル＃２におけるランダムアクセスプリアンブル（すなわち、記憶部１２に記憶されている「ｄｅｄｉｃａｔｅｄ  Ｐｒｅａｍｂｌｅ」）の送信を延期し、所定タイマを起動するように構成されている。
【００６８】
しかし、時刻ｔ４において、送信部１４は、セル＃１において上り信号の送信が完了する前に、所定タイマが満了したため、延期しているセル＃２におけるランダムアクセスプリアンブル（すなわち、記憶部１２に記憶されている「ｄｅｄｉｃａｔｅｄ  Ｐｒｅａｍｂｌｅ」）の送信を中止する。
【００６９】
なお、送信部１４は、所定タイマが満了するまでの間、延期しているセル＃２におけるランダムアクセスプリアンブルの再送を行う。
【００７０】
時刻ｔ５において、受信部１１が、無線基地局ｅＮＢによって送信された「ＰＤＣＣＨ  ｏｒｄｅｒ」を受信すると、すなわち、検出部１３が、セル＃２におけるＲＡ手順の開始トリガを検出すると、送信部１４は、セル＃１において上り信号が送信されているが、所定回数（かかる場合、２回）、セル＃２におけるランダムアクセスプリアンブルの送信を延期（或いは、中止）しているため、セル＃２におけるランダムアクセスプリアンブル（すなわち、記憶部１２に記憶されている「ｄｅｄｉｃａｔｅｄ  Ｐｒｅａｍｂｌｅ」）の送信を延期することなく行うように構成されている。ここで、かかる所定回数には、上述のランダムアクセスプリアンブルの再送回数を含めてもよいし、上述のランダムアクセスプリアンブルの再送回数を含めなくてもよい。
【００７１】
かかる場合、送信部１４は、セル＃１において上り信号の送信を中止するように構成されている。
【００７２】
以下、図８を参照して、本変更例２に係る移動通信システムの動作の一例について説明する。
【００７３】
図８に示すように、移動局ＵＥは、ステップＳ３０１において、変数「ＲＡ_ｄｒｏｐ_ｃｏｕｎｔ」を「０」に設定し、ステップＳ３０２において、ＲＡ手順の開始トリガを検出すると、ステップＳ３０３において、セル＃１において上り信号が送信されているか否かについて判定する。
【００７４】
「ＹＥＳ」の場合、本動作は、ステップＳ３０４に進み、「ＮＯ」の場合、本動作は、ステップＳ３０５に進む。
【００７５】
なお、移動局ＵＥは、ＲＡ手順の開始トリガを検出すると、例えば、「ＰＤＣＣＨ  ｏｒｄｅｒ」を受信すると、上述の所定タイマをリセットすると共に、変数「ＲＡ_ｄｒｏｐ_ｃｏｕｎｔ」の値をリセットしてもよい。
【００７６】
ステップＳ３０４において、移動局ＵＥは、変数「ＲＡ_ｄｒｏｐ_ｃｏｕｎｔ」が「ｍａｘ=ｄｒｏｐ」に等しいか否かについて判定する。ここで、「ｍａｘ=ｄｒｏｐ」は、上述の所定回数が設定されるパラメータである。
【００７７】
「ＹＥＳ」の場合、本動作は、ステップＳ３０５に進み、「ＮＯ」の場合、本動作は、ステップＳ３０６に進む。
【００７８】
ステップＳ３０５において、移動局ＵＥは、延期しているセル＃２におけるランダムアクセスプリアンブル（すなわち、記憶部１２に記憶されている「ｄｅｄｉｃａｔｅｄ  Ｐｒｅａｍｂｌｅ」）の送信を行う。
【００７９】
ステップＳ３０６において、移動局ＵＥは、変数「ＲＡ_ｄｒｏｐ_ｃｏｕｎｔ」の値を「１」だけ増加させる。
【００８０】
ここで、移動局ＵＥは、所定タイマが満了するまでの間、延期しているセル＃２におけるランダムアクセスプリアンブルの再送を行うが、かかる再送に失敗した場合に、変数「ＲＡ_ｄｒｏｐ_ｃｏｕｎｔ」の値を「１」だけ増加させてもよいし、ランダムアクセスプリアンブルの送信の度に、変数「ＲＡ_ｄｒｏｐ_ｃｏｕｎｔ」の値を「１」だけ増加させてもよい。
【００８１】
なお、送信部１４は、上り信号の送信及びランダムアクセスプリアンブルの送信の各々に対して優先度を設定しておき、所定回数、セル＃２におけるランダムアクセスプリアンブルの送信を延期（或いは、中止）した場合には、ランダムアクセスプリアンブルの送信に対して設定されている優先度を上げるように構成されていてもよい。
【００８２】
かかる場合、送信部１４は、セル＃２におけるＲＡ手順の開始トリガが検出された場合で、かつ、セル＃１において上り信号が送信されている場合には、セル＃１における上り信号の送信及びセル＃２におけるランダムアクセスプリアンブルの送信のうち、優先度の高い方を行い、優先度の低い方を中止するように構成されている。
【００８３】
また、送信部１４は、セル＃２におけるランダムアクセスプリアンブルの送信を最初に中止してから、所定期間が経過した場合に、セル＃２におけるランダムアクセスプリアンブルの送信に対して設定されている優先度を上げるように構成されていてもよい。
【００８４】
本変更例２によれば、移動局ＵＥは、連続したセル＃２におけるランダムアクセスプリアンブルの送信の中止回数を制限することで、セル＃１における上り信号の送信に対する影響を最小限に抑えつつ、「Ｉｎｔｅｒ-ｂａｎｄ  ＣＡ」を開始することができる可能性を高めることができる。
【００８５】
以上に述べた本実施形態の特徴は、以下のように表現されていてもよい。
【００８６】
本実施形態の第１の特徴は、移動局ＵＥであって、セル＃１（第１セル）において「ＲＲＣ_Ｃｏｎｎｅｃｔｅｄ状態（接続状態）」にある場合で、セル＃２（第２セル）におけるランダムアクセス手順の開始トリガを検出した場合で、かつ、セル＃１において上り信号が送信されていると判断した場合に、セル＃２におけるランダムアクセスプリアンブルの送信を延期するように構成されている送信部１４を具備しており、送信部１４は、セル＃１における上り信号の送信が完了した際に、延期されているランダムアクセスプリアンブルの送信を行うように構成されていることを要旨とする。
【００８７】
本実施形態の第１の特徴において、送信部１４は、所定期間、セル＃２におけるランダムアクセスプリアンブルの送信を延期した場合、かかるランダムアクセスプリアンブルの送信を中止するように構成されていてもよい。
【００８８】
本実施形態の第１の特徴において、送信部１４は、所定回数、セル＃２におけるランダムアクセスプリアンブルの送信を延期（或いは、中止）した場合には、次に、セル＃２におけるランダムアクセス手順の開始トリガを検出した際に、セル＃１において上り信号が送信されていると判断した場合であっても、セル＃２におけるランダムアクセスプリアンブルの送信を延期することなく行うように構成されていてもよい。
【００８９】
本実施形態の第１の特徴において、送信部１４は、セル＃１において「ＲＲＣ_Ｃｏｎｎｅｃｔｅｄ状態」にある場合で、セル＃２におけるランダムアクセス手順の開始トリガを検出した場合で、セル＃１において上り信号が送信されていると判断した場合で、かつ、かかるランダムアクセスプリアンブル及び上り信号の送信に十分な送信電力を確保することができない場合に、かかるランダムアクセスプリアンブルの送信を延期するように構成されていてもよい。
【００９０】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００９１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００９３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９４】
ＵＥ…移動局
ｅＮＢ…無線基地局
１１…受信部
１２…記憶部
１３…検出部
１４…送信部
【図１】
0005896761.tif 000002
【図２】
0005896761.tif 000003
【図３】
0005896761.tif 000004
【図４】
0005896761.tif 000005
【図５】
0005896761.tif 000006
【図６】
0005896761.tif 000007
【図７】
0005896761.tif 000008
【図８】
0005896761.tif 000009
【図９】
0005896761.tif 000010